(57)【要約】      （修正有）【課題】通気防水機能を具えたソールの提供。【解決手段】ソール１の局部に貫通する通気孔２が設けられ、並びに通気孔の外側にラチェット歯状の弾性鰓片３が設けられ、通気孔内側に通気防水薄膜が敷設され、ソールが走行中に地面に接触する時、ラチェット歯状の弾性鰓片が圧力を受けて通気孔を閉じ、ソールが走行中に地面より離れる時、該ラチェット歯状の弾性鰓片が通気孔を開放することによりシリンダ作用を形成し、靴内の湿気を帯びた熱空気と靴外の新鮮空気を交換して靴内を爽やかに維持する。【選択図】図２
0003113646.tif 000002
【実用新案登録請求の範囲】
【請求項１】
走行時にソールにあって地面と接触する四大エリア、即ち踵部両側と足の甲部両側に換気エリアが設けられた通気防水機能を具えたソールにおいて、該換気エリア内のソールに貫通する複数の通気孔が設けられ、各通気孔の外側にラチェット歯状の弾性鰓片が設けられ、走行時にソールが地面と接触する時、該ラチェット歯状の弾性鰓片が加圧されて通気孔を封じ、ソールが地面より離れる時に、該ラチェット歯状の弾性鰓片が弾性回復して通気孔を開放状態となすことを特徴とする、通気防水機能を具えたソール。
【考案の詳細な説明】
【技術分野】
【０００１】
本考案は一種のソールの改良に係り、特に、通気防水機能を具えたソールに関する。
【背景技術】
【０００２】
靴内を爽快に保って靴内温度を下げる設計が長年研究されており、外接式エアバッグを空気交換の動力源とするものが多く提供されているが、このような設計はその目的を達成できるとはいえ、構造が複雑であり量産上、困難がある。
【０００３】
特許文献１に記載の通気靴は、アッパー及び靴内の中間層で構成されたポンプ、中敷き、ミッドソール及びアウトソールを包含し、その特徴は、アウトソールの上表面に弾性エアバッグが設置され、該弾性エアバッグに導気管が接続され、該導気管がポンプまで延伸されて且つアッパーと靴内中間層の間に位置し、ポンプに接続された導気管に外界と連通する通気孔が設けられている。
【０００４】
また、特許文献２に記載の靴の通気構造によると、ソールの踵部分に開口が設けられ、該開口にエアバッグが設けられ、該エアバッグの上方前端が踵底部より延伸され、エアバッグのその他の側辺が接続片で開口の辺縁と接続され、エアバッグの底部が前から後ろに向けて傾斜した後に平面に接続され、エアバッグの底端が踵底部より突出し、靴が走行時に踏まれる時に、エアバッグが押圧されてブロワー作用を形成して靴の内外の空気の対流を形成し、通気効果を達成する。
【０００５】
更に特許文献３には通気及び防水の呼吸靴が提供され、ソール、底パッド、アッパー、中敷、二つの底ブロック及びヒールで構成されている。それは、ソール前端に横向きに配列された開溝が設けられ、開溝がソール両側に連通し、底パッドに防水通気布が接合され、防水通気布の周囲の折辺が突出して下向きに底パッド周囲を被覆し、底パッド内面にエアバッグがあり管路で中敷前端と前部側端に連通し、中敷に複数の気孔が設けられて管路を貫通し、中敷前端に折縁が設けられて、エアバッグが足部に踏まれることで強制的な気流を発生して管路と気孔を通して靴内空間に排出して充満させ、防水通気布を通し靴外に排出し、水が逆方向に開溝より進入する時、防水通気布の阻止により靴内空間に進入不能とし、靴内空間を快適さと通気性を保つように形成されている。
【０００６】
上述の各種の方式はいずれも理論上はソールの通気の予期された効果を達成できるが、構造が複雑で商品化の難度が高い。このため如何に簡単な方式でソールに通気防水の機能を具備させるかが課題となる。
【０００７】
【特許文献１】台湾実用新案公告第Ｍ２４２０３３号明細書
【特許文献２】台湾実用新案公告第Ｍ２４０８５１号明細書
【特許文献３】台湾実用新案登録第８７２００５６３号明細書
【考案の開示】
【考案が解決しようとする課題】
【０００８】
本考案は上述の従来の製品の欠点を解決した通気防水機能を具えたソールを提供するものである。
【０００９】
即ち、本考案の主要な目的は、一種の、通気防水機能を具えたソールを提供することにあり、それは、簡単な構造で効果が顕著であり、効果的に靴内の湿度を下げて爽快な状態に保つことができるものとする。
【００１０】
上述の目的を達成するため、本考案によると、ソールの局部に貫通する通気孔が設けられ、並びに通気孔の外側にラチェット歯状の弾性鰓片が設けられ、通気孔内側に通気防水薄膜が敷設され、ソールが走行中に地面に接触する時、ラチェット歯状の弾性鰓片が圧力を受けて通気孔を閉じ、ソールが走行中に地面より離れる時、該ラチェット歯状の弾性鰓片が通気孔を開放することによりシリンダ作用を形成し、靴内の湿気を帯びた熱空気と靴外の新鮮空気を交換して靴内を爽やかに維持する。
【課題を解決するための手段】
【００１１】
請求項１の考案は、走行時にソールにあって地面と接触する四大エリア、即ち踵部両側と足の甲部両側に換気エリアが設けられた通気防水機能を具えたソールにおいて、該換気エリア内のソールに貫通する複数の通気孔が設けられ、各通気孔の外側にラチェット歯状の弾性鰓片が設けられ、走行時にソールが地面と接触する時、該ラチェット歯状の弾性鰓片が加圧されて通気孔を封じ、ソールが地面より離れる時に、該ラチェット歯状の弾性鰓片が弾性回復して通気孔を開放状態となすことを特徴とする、通気防水機能を具えたソールとしている。
【考案の効果】
【００１２】
本考案は走行時に足裏のソールに対する間欠的な加圧により、各通気孔の吸気、排気の現象が形成され、空気が各通気孔にあって流動し出入りし、これにより靴内の湿った熱空気と靴外の新鮮な空気が交換されて有効に靴内の湿気を減らして爽快に保つことができる。
【考案を実施するための最良の形態】
【００１３】
図１は本考案のソールの局部拡大図と共に示した平面図である。本考案は走行時にソールの地面と最も直接的に接触する四大エリア、即ち、踵部両側Ａ、Ｂ及び甲部両側Ｃ、Ｄを換気エリアとして区画する。図２は本考案のソールの局部拡大断面図と共に示した断面図である。換気エリア内にあって、ソール１に複数の貫通する通気孔２が平行に設けられ、各通気孔２の外側にそれぞれラチェット歯状の弾性鰓片３が設けられ、通気孔２の内側に通気防水薄膜（図示せず）が敷設され、ソール１が走行中に地面に接触する時、図３の本考案の動作表示図に示されるように、ラチェット歯状の弾性鰓片３ａが圧力を受けて通気孔２を封じ、ソール１が地面より離れる時、該ラチェット歯状の弾性鰓片３ａが通気孔２を開放し、ラチェット歯状の弾性鰓片３ａの通気孔２に対する封鎖、開放により形成されるシリンダ作用を利用し、靴内の湿気を帯びた熱空気と靴外の新鮮空気を交換して靴内を爽やかに維持する。
【００１４】
これにより、本考案は走行時に足裏のソールに対する間欠的な加圧により、各通気孔の吸気、排気の現象が形成され、空気が各通気孔にあって流動し出入りし、これにより靴内の湿った熱空気と靴外の新鮮な空気が交換されて有効に靴内の湿気を減らして爽快に保つことができる。
【００１５】
総合すると、本考案は簡単な構造で顕著な通気防水機能を具えたソールを提供し、靴内の湿度を下げて乾いた状態に維持でき、健康に役立ち、その実用効果は明らかである。また本考案の構造はその出願前に頒布された刊行物に記載がなくまた市場にも見られず、ゆえに新規性を有している。
【図面の簡単な説明】
【００１６】
【図１】本考案のソールの局部拡大図と共に示した平面図である。
【図２】本考案のソールの局部拡大断面図と共に示した断面図である。
【図３】本考案の動作表示図である。
【符号の説明】
【００１７】
１  ソール
２  通気孔
３、３ａ  弾性鰓片
【図１】
0003113646.tif 000003
【図２】
0003113646.tif 000004
【図３】
0003113646.tif 000005